(57)【要約】  【課題】  比較的簡易な構造ながらも、換気口開口部の開口面積を十分に確保できて、かつ各止水板を閉鎖したときには水密に密閉可能な地下施設の換気口用止水装置を提供する。  【解決手段】  複数の止水板６を換気口１の開口部３に所定間隔にて並設し、隣接する各止水板６間の隙間を閉塞する補助枠１２を揺動自在に備える。前記補助枠１２下面側には水密ゴム１４を貼着する一方、補助枠１２上面側には枠体１０との係合用の凸状部１５を突設し、補助枠１２下面側を止水板端縁部６ａに係止させて止水板６の起伏動作に応じて従動的に回動するようにすると共に、枠体１０下面側には補助枠１２の凸状部１５が係合可能な凹状部１６を設ける。そして、各止水板６を水平に立ち上げたときには、補助枠１２の凸状部１５が枠体１０の凹状部１６に係合して補助枠１２が水平に支持され、補助枠１２下面側の水密ゴム１４とその両側の各止水板端縁部６ａとがそれぞれ水密に当接する。【選択図】  図５
2014012942.tif 000002
【特許請求の範囲】
【請求項１】
地下施設と地上とを連通する換気口の開口部を複数に分割した止水板にて閉鎖可能とし、各止水板はその一端部を換気口開口部の内壁に回動自在に軸着してシリンダーにて起伏可能とする一方、開口部内周壁に沿って下面側に水密用のシール部材を貼着した枠体を周設し、前記止水板を水平に立ち上げたときに止水板上面側の端縁部が前記枠体下面側のシール部材に当接して換気口開口部を閉鎖するようにした地下施設の換気口用止水装置において、各止水板を起伏方向が一致するように換気口開口部に所定間隔にて並設し、隣接する各止水板の中間部には各止水板間の隙間を閉塞する補助枠を揺動自在に備え、該補助枠の下面側には水密用のシール部材を貼着する一方、補助枠の上面側には枠体との係合用の凸状部を突設し、前記補助枠下面側を止水板の上面側端縁部に係止させて止水板の起伏動作に応じて補助枠も従動的に回動するようにすると共に、前記枠体下面側の所定位置には前記補助枠の凸状部が係合可能な凹状部を設け、各止水板を水平に立ち上げたときには従動的に回動する補助枠の凸状部が枠体の凹状部に係合することによって補助枠が水平に支持されて補助枠下面側のシール部材とその両側に位置する各止水板の上面側端縁部とが密着するように構成したことを特徴とする地下施設の換気口用止水装置。
【発明の詳細な説明】
【技術分野】
【０００１】
本発明は、地下鉄や地下街等の地下施設に設置される換気口からの雨水の流入を抑えて地下施設への浸水を防止する地下施設の換気口用止水装置に関する。
【背景技術】
【０００２】
地下鉄や地下街等の地下施設には地上と連通する吸排気用の換気口が設置されており、該換気口の地上側の開口部を、例えば歩道等の路面に開口していることも多く、開口部上端は通気及び通行の妨げにならないように格子蓋等で被覆している。そのため、雨天時には歩道等に降った雨水が前記格子蓋を通過して換気口内に簡単に流入してしまうこととなるが、通常、換気口内には排水処理用の排水ポンプ等が設置されており、雨水の流入量に応じて前記排水ポンプを適宜駆動して排水処理を行うことにより地下施設への浸水を防止するように図っている。
【０００３】
一方、台風や集中豪雨等、歩道の路面が冠水するほどの大雨が降った場合には、非常に多量の雨水が換気口内に一気に流入してしまうため、前記排水ポンプによる排水処理も間に合わず、場合によっては地下施設が浸水するなどの甚大な被害を被るおそれがある。そのため、このような事態に備えて、例えば、特許文献１（実用新案登録第２６００６３０号公報）や特許文献２（特許第４８７３４９８号公報）、特許文献３（実用新案登録第３０９１１６２号公報）等に記載されているように、換気口の開口部を止水板等にて開閉可能としておき、必要に応じて前記止水板にて換気口を閉鎖して雨水の流入を抑えることにより、地下施設への浸水を回避可能とした換気口用の止水装置の提案もなされている。
【先行技術文献】
【特許文献】
【０００４】
【特許文献１】実用新案登録第２６００６３０号公報
【特許文献２】特許第４８７３４９８号公報
【特許文献３】実用新案登録第３０９１１６２号公報
【発明の概要】
【発明が解決しようとする課題】
【０００５】
ところで、前記止水板には少なくとも閉鎖時に止水板上に滞留する雨水の重量にも耐え得るだけの強度が求められるため、例えばある程度の板厚を有する金属板等が有効に採用されるが、換気口の開口部のサイズに応じて大きな止水板が必要となれば重量も相当なものとなり、設置時の作業性に大きく影響を及ぼす可能性がある。なお、特許文献３に記載される止水装置のように、換気口開口部を二分する一対の止水板で開閉するようにすれば、個々の止水板の重量を抑えられて設置作業も比較的効率よく行えるものの、上記止水装置では一対の止水板を対向配置した観音開き構造とし、各止水板遊端部を重合させることで段差が生じているため、閉鎖時の止水板周端縁部と開口部周囲の枠体とを水密に密着させようとすれば、例えば枠体側にも同様の段差を形成させるなどのやや複雑な構造となる。
【０００６】
一方、前記止水装置において、例えば各止水板遊端部の重合する箇所に所定幅の中間枠を架設させて各止水板遊端部を支持させると、各止水板遊端部を重合させることもなく、比較的簡易な構成にて水密に閉鎖することができるが、開口部を通じての換気口内への作業者の出入りや設備の搬入時に、開口部に架設された前記中間枠が邪魔となって作業に支障を来すこととなる。
【０００７】
本発明は上記の点に鑑み、地下施設の換気口開口部を分割した複数の止水板にて開閉する止水装置において、比較的簡易な構造ながらも、換気口開口部の開口面積を十分に確保でき、かつ各止水板を閉鎖したときには水密に密閉可能な地下施設の換気口用止水装置を提供することを課題とする。
【課題を解決するための手段】
【０００８】
上記の課題を解決するために、本発明に係る地下施設の換気口用止水装置では、地下施設と地上とを連通する換気口の開口部を複数に分割した止水板にて閉鎖可能とし、各止水板はその一端部を換気口開口部の内壁に回動自在に軸着してシリンダーにて起伏可能とする一方、開口部内周壁に沿って下面側に水密用のシール部材を貼着した枠体を周設し、前記止水板を水平に立ち上げたときに止水板上面側の端縁部が前記枠体下面側のシール部材に当接して換気口開口部を閉鎖するようにした地下施設の換気口用止水装置において、各止水板を起伏方向が一致するように換気口開口部に所定間隔にて並設し、隣接する各止水板の中間部には各止水板間の隙間を閉塞する補助枠を揺動自在に備え、該補助枠の下面側には水密用のシール部材を貼着する一方、補助枠の上面側には枠体との係合用の凸状部を突設し、前記補助枠下面側を止水板の上面側端縁部に係止させて止水板の起伏動作に応じて補助枠も従動的に回動するようにすると共に、前記枠体下面側の所定位置には前記補助枠の凸状部が係合可能な凹状部を設け、各止水板を水平に立ち上げたときには従動的に回動する補助枠の凸状部が枠体の凹状部に係合することによって補助枠が水平に支持されて補助枠下面側のシール部材とその両側に位置する各止水板の上面側端縁部とが密着するように構成したことを特徴としている。
【発明の効果】
【０００９】
本発明に係る地下施設の換気口用止水装置によれば、複数の止水板を起伏方向が一致するように換気口開口部に所定間隔にて並設し、隣接する各止水板間の隙間を閉塞する補助枠を揺動自在に備え、該補助枠下面側には水密用のシール部材を貼着する一方、補助枠上面側には枠体との係合用の凸状部を突設し、前記補助枠下面側を止水板端縁部に係止させて止水板の起伏動作に応じて従動的に回動するようにすると共に、枠体下面側には補助枠の凸状部が係合可能な凹状部を設け、各止水板を水平に立ち上げたときには補助枠の凸状部が枠体の凹状部に係合することによって補助枠が水平に支持されて補助枠下面側のシール部材とその両側の各止水板の上面側端縁部とが密着する構成としたので、換気口開口部を分割した複数の止水板で閉鎖する場合においても、比較的簡易な構造ながら、換気口開口部の開口面積を十分に確保しつつ水密に閉鎖することが可能となり、設置作業やメンテナンス作業等において好都合であると共に、安定した止水性が期待できる。
【図面の簡単な説明】
【００１０】
【図１】本発明に係る地下施設の換気口用止水装置の一実施例の一部切り欠き正面図である。
【図２】図１の側面図である。
【図３】止水装置の斜視図であって、一対の止水板を開放した状態を示す図である。
【図４】図３の要部拡大図である。
【図５】一方の止水板を閉鎖し、他方の止水板を開放した状態を示す、図３に相当する図である。
【図６】図５の要部拡大図である。
【図７】一対の止水板を閉鎖した状態を示す、図３に相当する図である。
【図８】図７の要部拡大図である。
【発明を実施するための形態】
【００１１】
本発明に係る地下施設の換気口用止水装置にあっては、換気口開口部を複数に分割した止水板にて閉鎖可能とし、各止水板はそれぞれの起伏方向が一致するように開口部に対して所定間隔にて並設していると共に、隣り合う各止水板間には隙間閉塞用の補助枠を止水板の起伏方向と平行に揺動自在に備えている。また、前記補助枠の上面側には枠体との係合用に凸状部を突設している一方、水密用のシール部材を貼着した補助枠下面側を止水板上面側の端縁部に係止させて止水板の起伏動作に応じて補助枠も従動的に回動するようにしている。また、枠体下面側には、開口部を挟んだ対向位置にそれぞれ前記補助枠の凸状部が係合可能な凹状部を設けている。
【００１２】
そして、上記止水装置にて換気口開口部を閉鎖するときには、各止水板をシリンダーにて回動させて水平に立ち上げ、止水板上面側の端縁部を開口部内周壁の枠体下面側のシール部材に当接させて閉鎖させる。このとき、前記止水板の回動に伴って止水板間に位置する補助枠も従動的に押し上げられ、補助枠上面側の凸状部が枠体下面側の凹状部へと係合し、補助枠は枠体と止水板とに挟持された状態で開口部内に水平に支持される。そして、こうして水平に支持された補助枠下面側のシール部材に対し、その両側に位置する各止水板の上面側端縁部がそれぞれ個別に当接して止水板間の隙間が閉鎖される。
【００１３】
このように、上記止水装置によれば、従来の観音開き構造の止水板のように各止水板同士が重合して枠体との密着を妨げるような段差を生じることもなく、枠体等と水密に当接させることができて開口部の安定した密閉が図れると共に、止水板開放時には開口部を通じての作業員の出入りや設備の搬入等が可能な程度の十分な開口面積を確保でき、設置作業やメンテナンス作業等において都合がよい。また、装置構造も比較的簡易であるため、コストも低廉で採用がしやすい。
【実施例】
【００１４】
以下、本発明の実施例を図面に基づいて説明する。
【００１５】
図中の１は地下鉄や地下街等の地下施設と地上とを連通する換気口であって、歩道等の路面２に開口される前記換気口１の開口部３には、路面２と同レベルにて格子蓋４を設置していると共に、該格子蓋４の下位には換気口１への雨水の浸入を防止する止水装置５を設置している。
【００１６】
図中の６は換気口開口部３を閉鎖して路面２等から換気口１への雨水の侵入を防止する金属製の止水板であって、開口部３の開口面積を複数に分割（本実施例では二分割）するサイズの各止水板６を開口部３に対して所定間隔にて並設し、各止水板６の一端部を換気口１の側壁に固着したヒンジ部７にて回動自在に軸着している一方、該ヒンジ部７の下位側に備えた油圧式のシリンダー８のピストンロッド９先端部を止水板６の下面側に軸着しており、前記シリンダー８のピストンロッド９の伸縮動作によって、各止水板６を図１中の二点鎖線位置から実線位置に亘って起伏自在としている。
【００１７】
また、開口部３の内周壁に沿って枠体１０を周設し、該枠体１０の下面側には水密用のシール部材である水密ゴム１１を貼着しており、前記止水板６を水平に立ち上げたときには止水板６上面側の端縁部６ａが枠体１０下面側の水密ゴム１１に当接して換気口開口部３を閉鎖可能としている。
【００１８】
隣接する各止水板６間にはそれらの隙間を閉塞する補助枠１２を備え、該補助枠１２の一端部を、止水板６と同様に、換気口１の側壁に固着したヒンジ部１３にて揺動自在に軸着している一方、補助枠１２の下面側にも水密ゴム１４を貼着している。そして、この水密ゴム１４を貼着した補助枠１２下面側を、補助枠１２両側に位置する止水板６上面側の端縁部６ａに係止させており、止水板６の起伏動作に応じて従動的に回動するように構成している。
【００１９】
また、前記補助枠１２の長手方向先端部及び基端部の上面側には枠体１０との係合用に、例えば断面略三角形状に形成した一対の凸状部１５を突設している一方、枠体１０中間部の下面側には、換気口開口部３を挟んだ対向位置に、前記補助枠１２の凸状部１５が係合可能なように断面略三角形状に形成した凹状部１６をそれぞれ設け、かつ該凹状部１６の下面側にも水密ゴム１１を貼着しており、凸状部１５と係合した際には水密に当接されるようにしている。
【００２０】
なお、前記凸状部１５や凹状部１６の形状は、必ずしも断面略三角形状に限定されるものではなく、例えば、共に断面略半円形状に形成するなど適宜形状を採用することができる。
【００２１】
１７は油圧式のシリンダー８へ油圧を供給する油圧ユニットであり、１８は止水装置５の開閉を制御する手元の制御器である。また、前記制御器１８は換気口１内の各種設備を遠隔にて管理する集中管理室の遠隔操作盤（図示せず）まで配線されており、前記集中管理室にて換気口１に設置される全ての止水装置５の開閉を遠隔にて操作可能なように構成している。
【００２２】
そして、天候が良好な平常時には、集中管理室の遠隔操作盤にて油圧ユニット１７を制御して一対のシリンダー８のピストンロッド９をそれぞれ縮小させ、図３や図４に示すように、各止水板６を換気口１側壁に沿うように倒伏させて換気口開口部３を開放状態とし、換気口１内に別途設置される排風機等を駆動させて地下施設の換気を行うようにする。
【００２３】
一方、台風や集中豪雨等が発生して大雨が降ったときには、前記同様に集中管理室の遠隔操作盤にて油圧ユニット１７を制御して一対のシリンダー８のピストンロッド９をそれぞれ伸長させ、図７や図８に示すように、各止水板６を水平に立ち上げて止水板６上面側の端縁部６ａを開口部３内周壁の枠体１０下面側の水密ゴム１１に圧着させて開口部３を閉鎖させる（なお、図５や図６は、各止水板６の動作や構造等をより分かりやすくするために、一方の止水板６を閉鎖し、他方の止水板６のみを水平に立ち上げた状態を示した図面であり、各止水板６を開閉する際にはほぼ同時に開閉動作させればよく、必ずしもこのような状態を経る必要はない。）。
【００２４】
このとき、止水板６が水平に立ち上がる動きに伴い、各止水板６間に位置する補助枠１２も止水板端縁部６ａによって押し上げられるようにして従動的に回動し、補助枠１２が略水平位置に回動したときには、補助枠１２上面側の各凸状部１５が枠体１０下面側の各凹状部１６へと案内されて係合し、補助枠１２は枠体１０と止水板６とに挟持された状態で開口部３に水平に支持される。そして、こうして水平に支持された補助枠１２下面側の水密ゴム１４に対し、その両側に位置する各止水板６の上面側端縁部６ａがそれぞれ個別に当接し、止水板６間の隙間は水密に閉塞される。
【００２５】
このように、本発明の止水装置５によれば、各止水板６を閉鎖したときに、従来の観音開き構造のような止水板６重合部での段差が生じず、比較的簡易な装置構造ながらも水密に閉鎖することができる。また、各止水板６間の隙間閉塞用の補助枠１２を揺動自在とし、かつ止水板６の開閉動作に伴って従動的に回動するように構成したので、止水板６を開放したときには補助枠１２も倒伏して換気口開口部３は全開となり、作業員や設備等の通過が可能な程度の十分な開口面積が確保される。更に、本止水装置５にあっては、各止水板６が平行に配置されるため、止水板６の枚数を、例えば三枚以上にも自在に設定でき、個々の止水板６のサイズや重量をより取り扱いやすいように適宜調整することが可能となる。
【符号の説明】
【００２６】
１…換気口                        ３…開口部（換気口）
５…止水装置                      ６…止水板
６ａ…上面側端縁部（止水板）      ８…シリンダー
１０…枠体                        １１、１４…水密ゴム（シール部材）
１２…補助枠                      １５…凸状部（補助枠）
１６…凹状部（枠体）
【図１】
2014012942.tif 000003
【図２】
2014012942.tif 000004
【図３】
2014012942.tif 000005
【図４】
2014012942.tif 000006
【図５】
2014012942.tif 000007
【図６】
2014012942.tif 000008
【図７】
2014012942.tif 000009
【図８】
2014012942.tif 000010